(57)【要約】【課題】簡易に着脱できる履物を得る。【解決手段】足で踏むことにより履物に足を挟持させ、つま先立ち状態もしくはかかと立ち状態により履物の挟持を外すことにする。【選択図】図９
2014000376.tif 000002
【特許請求の範囲】
【請求項１】
挟持具をおおまかにはU字に近い構造とし、U字両上端部から底側に向かって放物線を互いに落とし込むように案内板を延ばすと、そのU字両上端付近は足の踏み込みにより足サイズの多少の違いに対応しつつ一時的にU字の内幅を押し広げ、そこに狭湾部を作りながらU字両側へ押しやられた全体が使用時の足甲両側を挟み込む役目となり、逆に足を抜き出すときは、作られた狭湾部が再びU字の内幅を押し広げる役目となるが、これらを備えることで、足で踏むことにより装着でき、つま先立ち状態もしくはかかと立ち状態により脱履できることを特徴とする簡易着脱履物。
【請求項２】
案内板をU字両上端部から互いにアーチ状に重なる形態として使用し、足を水平方向に出し入れする着脱法と兼用可能で、案内板の重なり位置にゴム磁石や磁性体を埋め込めばその使い分けが容易となる請求項１記載の簡易着脱履物。
【発明の詳細な説明】
【技術分野】
【０００１】
簡易に着脱できる履物に関するものである。
【背景技術】
【０００２】
簡易に着脱できる履物については、スリッパやサンダル等のように部分的な甲革、甲帯、鼻緒で保持されるものがよく使用されており、前後左右の区別無く履けるもの、粘着させるもの、足指の間に突起を引っ掛けるもの等多数のものが存在する。
【先行技術文献】
【特許文献】
【０００３】
【特許文献１】登録実用新案第３０２８０６３号公報
【特許文献２】米国特許出願公開第２００８／０３０１９７４号
【発明の概要】
【発明が解決しようとする課題】
【０００４】
足指の間に突起を引っ掛けるものは、その使用に熟練を要し、簡単とはいかない。粘着させるものは、装着が簡単である反面、脱ぐときやその扱いに難点がある。スリッパやサンダル等は、歩く動作の流れで足を滑り込ませ、装着が簡単であるが、脱ぐときには、歩く動作の流れのままとはいかず、履物を少し前へ蹴り出すような動作あるいはその場で足踏みするような動作を必要とする。前後左右の区別無く履けるものも同様であり、特に履物中央部のみで保持されるものは、適度な保持力を維持しないと、使用中に履物がずれたり、脱げたりすることになる。
【課題を解決するための手段】
【０００５】
上記課題を解決するために本発明は、足で踏むことにより履物に足を挟持させ、挟持具を中央に取付けた場合はつま先立ち状態により、また端寄りに取付けた場合に、かかと側挟持用として使用する際はつま先立ち状態により、つま先側挟持用として使用する際はかかと立ち状態により履物の挟持を外すことにした。
【発明の効果】
【０００６】
本発明において、歩く動作の流れで足で踏むことにより履物を装着し、歩く動作の流れのなかで意識的につま先立ち状態をつくることにより履物を脱ぐことができる。挟持具を端寄りに取付け、つま先側挟持用として使用する際は、かかと立ち状態により履物を脱ぐので、歩く動作の流れのままとはいかないが、反対側から履物を装着する際には、かかと側挟持用として使用することもでき、いずれの箇所に挟持具を取付けたとしても、前後左右の区別無く履けるものである。使用中、履物は足を挟持しているので、履物がずれたり脱げたりしにくくなる。あえて、挟持具を端寄りに取付け、足のサイズの大きい人がかかと側挟持用として、足のサイズの小さい人がつま先側挟持用として使用し、サイズの大きな違いに対応させることも考えられる。
【図面の簡単な説明】
【０００７】
【図１】簡易着脱履物の使用実施例を示す側面図である。
【図２】簡易着脱履物の使用実施例を示す側面図である。
【図３】簡易着脱履物の使用実施例を示す側面図である。
【図４】簡易着脱履物の使用実施例を示す側面図である。
【図５】簡易着脱履物の使用実施例を示す側面図である。
【図６】簡易着脱履物の使用実施例を示す側面図である。
【図７】簡易着脱履物の実施例を示す中央付近横断面図である。
【図８】簡易着脱履物の使用実施例を示す中央付近横断面図である。
【図９】簡易着脱履物の使用実施例を示す中央付近横断面図である。
【図１０】簡易着脱履物の実施例を示す平面図である。
【図１１】簡易着脱履物の実施例を示す中央付近横断面図である。
【図１２】簡易着脱履物の使用実施例を示す中央付近横断面図である。
【図１３】簡易着脱履物の使用実施例を示す中央付近横断面図である。
【図１４】簡易着脱履物の実施例を示す平面図である。
【図１５】簡易着脱履物の使用実施例を示す中央付近横断面図である。
【図１６】簡易着脱履物の実施例を示す中央付近横断面図である。
【発明を実施するための形態】
【０００８】
本発明を実施するため、履物の底板に挟持具を取付ける。挟持具は足甲の両側を挟み込むように底板から立ち上がり、適度な剛性と弾性を兼ねた部材にておおまかにはU字やW字に近い構造とする。一定以上の外力を加えることにより多少の塑性変形を生じさせ、使用者の足サイズに合わせられるよう、微調整できるものとしても良い。
【０００９】
挟持具をおおまかにはU字に近い構造とし、U字両上端部から底側に向かって放物線を互いに落とし込むように案内板を延ばすと、そのU字両上端付近は足の踏み込みにより足サイズの多少の違いに対応しつつ一時的にU字の内幅を押し広げ、そこに狭湾部を作りながらU字両側へ押しやられた全体が使用時の足甲両側を挟み込む役目となる。逆に足を抜き出すときは、作られた狭湾部が再びU字の内幅を押し広げる役目となる。また、柔軟な素材における同一案内板は、U字両上端部から互いにアーチ状に重なる形態でも同様に使用でき、この場合は足を水平方向に出し入れする着脱法と兼用可能で、案内板の重なり位置にゴム磁石や磁性体を埋め込めば、両形態の使い分けが容易となる。
【実施例】
【００１０】
使用実施例について図面を参照して説明すると、図１、２、３は順に履物の装着時、使用中、脱履時の様子を表しており、挟持具を中央に取付けた設定であるが、挟持具を端寄りに取付けかかと側挟持用として使用した場合も細二点鎖線で描画している。また、図４、５、６は挟持具を端寄りに取付けつま先側挟持用として使用した設定で、順に履物の装着時、使用中、脱履時の様子を表している。なお、以降の図面および説明は挟持具を履物中央に取付けた設定である。
【００１１】
図７、８、９、１０は挟持具をおおまかにはU字に近い構造とし、U字両上端部から底側に向かって放物線を互いに落とし込むように案内板を延ばしたものである。底板１は脱履時のつま先立ち状態にて大きく足側にたわまないよう、その剛性を確保するべくフレームが埋め込まれ、これに挟持具２を固定してあるが、以降の実施例も全て同様である。挟持具２は板材で、案内板をU字両側内に取付けてあるが、一体成型でも良い。図８は装着時および脱履時、図９は使用中の様子を表している。
【００１２】
図１１、１２、１３、１４、１５、１６は挟持具をおおまかにはU字に近い構造とし、U字両上端部から底側に向かって放物線を互いに落とし込むように案内板を延ばしたものを、案内板がU字両上端部から互いにアーチ状に重なる形態として使用する様子であるが、重なり位置にゴム磁石と磁性体を埋め込んでいる。図１１および図１６のように左右案内板の上下が入れ替わることもある。足を水平方向に滑り込ませて装着した後、つま先立ち状態により脱履した際は図１５のように一時的に案内板は上方に開放される。図１２は装着時および脱履時、図１３は使用中の様子を表している。
【産業上の利用可能性】
【００１３】
簡易に着脱できることで、履物の利便性を高めることが期待される。
【符号の説明】
【００１４】
１    底板
２    挟持具
【図１】
2014000376.tif 000003
【図２】
2014000376.tif 000004
【図３】
2014000376.tif 000005
【図４】
2014000376.tif 000006
【図５】
2014000376.tif 000007
【図６】
2014000376.tif 000008
【図７】
2014000376.tif 000009
【図８】
2014000376.tif 000010
【図９】
2014000376.tif 000011
【図１０】
2014000376.tif 000012
【図１１】
2014000376.tif 000013
【図１２】
2014000376.tif 000014
【図１３】
2014000376.tif 000015
【図１４】
2014000376.tif 000016
【図１５】
2014000376.tif 000017
【図１６】
2014000376.tif 000018
【手続補正書】
【提出日】平成25年1月6日(2013.1.6)
【手続補正１】
【補正対象書類名】特許請求の範囲
【補正対象項目名】請求項２
【補正方法】変更
【補正の内容】
【請求項２】
案内板をU字両上端部から互いにアーチ状に重なる形態として使用し、足を水平方向に出し入れする着脱法と兼用可能で、案内板の重なり位置にゴム磁石や磁性体を埋め込んでその使い分けが容易となる請求項１記載の簡易着脱履物。